(57)【特許請求の範囲】
【請求項１】
当接片と、この当接片の一側に設けられ、軒樋の中空耳部内に挿入される挿入部と、この挿入部と同方向に前記当接片の一側外縁より挿入部よりも長く延設され、前記軒樋の耳部と係合した軒樋継手の耳部係合部を覆う覆い片とからなる軒樋用ストッパー。
【請求項２】
中空耳部が側壁上端部に設けられた軒樋と、この軒樋の耳部と係合可能な耳部係合部が側壁上端部に設けられた軒樋継手とからなり、この軒樋継手の耳部係合部に軒樋の耳部が係合され、軒樋の端部外周面と軒樋継手の端部内周面とが弾性シール材を介して水密に接続されている軒樋と軒樋継手との接続構造において、
当接片と、この当接片の一側に設けられた挿入部と、この挿入部と同方向に前記当接片の一側外縁より挿入部よりも長く延設され、前記軒樋の耳部と係合した軒樋継手の耳部係合部を覆う覆い片とからなる軒樋用ストッパーの前記挿入部が前記軒樋の耳部内に固着されていることを特徴とする軒樋と軒樋継手との接続構造。
【発明の詳細な説明】
【０００１】
【発明の属する技術分野】
本発明は軒樋用ストッパーおよびこの軒樋用ストッパーを用いた軒樋と軒樋継手との接続構造に関する。
【０００２】
【従来の技術】
従来、軒樋と集水器とを接続する場合、軒樋の下流側端部を集水器の差し込み口に差し込んで接続している。そして、たとえば実公昭６１−３５６３９号公報に記載されているように、軒樋の下流側端部が集水器の差し込み口から抜けるのを防止するため、軒樋の下流側の底壁端部に櫛歯状の水切り片を有するクリップを接着している。
【０００３】
【発明が解決しようとする課題】
上記クリップを使用した軒樋と集水器との接続構造においては、軒樋が温度差により収縮した場合、クリップ基板が集水器の接続部面上に乗り上げてしまい、この結果、軒樋の底壁下面と集水器の接続部内面との間に隙間が生じて、止水性が低下するという問題があった。
【０００４】
また、ストッパーのクリップ片が軒樋の底壁上面に取り付けられて存在しているので、雨水の流れの障害となり、排水特性が低下するという問題もあった。
【０００５】
逆に、軒樋が温度差により伸長した場合、この伸長した両軒樋の端部が、集水器の底部に形成された排水落し口の上方を覆うことになる。このため、排水特性が著しく低下するという問題も生じていた。
【０００６】
さらに、ストッパーは、軒樋と集水器とを接続する前に、軒樋の底壁端部に接着して取り付けなければならず、仮にこのストッパーの取り付けを忘れた場合には、その取付の有無の確認に時間がかかり大変であった。
【０００７】
また、上記軒樋の底壁端部にクリップを接着する方式は、軒先の入隅部や出隅部において、軒樋を直角方向に接続する際に使用される曲がり継手（軒樋の端部外周面と曲がり継手の端部内周面とが弾性シール材を介して水密に接続されている接続構造）に適用することはできない。
【０００８】
なぜならば、この場合は、軒樋の底壁と曲がり継手の接続部の間にクリップを収納できるだけの隙間がないためである。したがって、従来の軒樋と曲がり継手との接続構造においては、軒樋の抜けを防止することはできなかった。
【０００９】
本発明の目的は、軒樋の伸縮、特に収縮が原因で、曲がり継手や軒樋集水器などの軒樋継手の接続部から軒樋が抜けることがなく、接続部の止水性の低下もなく、かつ、雨水の排水特性に何ら影響をおよぼすことのない軒樋用ストッパーおよびこの軒樋用ストッパーを用いた軒樋と軒樋継手との接続構造を提供することである。
【００１０】
【課題を解決するための手段】
請求項１記載の本発明は、当接片と、この当接片の一側に設けられ、軒樋の中空耳部内に挿入される挿入部と、この挿入部と同方向に前記当接片の一側外縁より挿入部よりも長く延設され、前記軒樋の耳部と係合した軒樋継手の耳部係合部を覆う覆い片とからなる軒樋用ストッパーである。
【００１１】
また、請求項２記載の本発明は、中空耳部が側壁上端部に設けられた軒樋と、この軒樋の耳部と係合可能な耳部係合部が側壁上端部に設けられた軒樋継手とからなり、この軒樋継手の耳部係合部に軒樋の耳部が係合され、軒樋の端部外周面と軒樋継手の端部内周面とが弾性シール材を介して水密に接続されている軒樋と軒樋継手との接続構造において、
当接片と、この当接片の一側に設けられた挿入部と、この挿入部と同方向に前記当接片の一側外縁より挿入部よりも長く延設され、前記軒樋の耳部と係合した軒樋継手の耳部係合部を覆う覆い片とからなる軒樋用ストッパーの前記挿入部が前記軒樋の耳部内に固着されている軒樋と軒樋継手との接続構造である。
【００１２】
本発明においては、軒樋の材質は特に限定されず、通常使用されている塩化ビニル樹脂などの合成樹脂製のもの、ガラス繊維などの補強材で補強されたもの、あるいは表面に合成樹脂を押出被覆した金属板製のもの、ＦＲＰ製のもの、などのいずれであってもよい。
【００１３】
また、軒樋の形状も特に限定されず、半円形、角形、あるいは前後の側壁形状が対称または非対称である特殊な形状であってもよい。要は、中空耳部が側壁上端部に設けられたものであればよい。そして、耳部および中空部の形状や大きさなどは、軒樋の形状や材質に応じて決めればよい。
【００１４】
本発明における軒樋継手としては、軒樋の耳部と係合可能な耳部係合部が側壁上端部に設けられ、かつ、接続部の内周面に弾性シール材が配設されたものであればよく、たとえば曲がり継手、軒樋集水器などが挙げられる。そして、軒樋継手の材質や形状は、接続される軒樋に対応させて決めればよい。
【００１５】
（作用）
請求項１記載の本発明の軒樋用ストッパーは、当接片と、この当接片の一側に設けられ、軒樋の中空耳部内に挿入される挿入部と、この挿入部と同方向に前記当接片の一側外縁より挿入部よりも長く延設され、前記軒樋の耳部と係合した軒樋継手の耳部係合部を覆う覆い片とからなるので、挿入部を軒樋の耳部内に挿入して固着することにより、簡単に取り付けることができる。
【００１６】
また、軒樋の耳部と係合した軒樋継手の耳部係合部を覆う覆い片を有しているので、軒樋の抜け防止や止水性に優れた接続部が得られることは勿論、降雪時の積雪荷重により軒樋継手の耳部係合部が軒樋の耳部より外れることのない接続部を得ることができる。
【００１７】
さらに、軒樋用ストッパーの取り付けは、軒樋と軒樋継手とを接続した後に行えるので、その取付施工性に優れている。
【００１８】
また、請求項２記載の本発明の軒樋と軒樋継手との接続構造においては、当接片と、この当接片の一側に設けられた挿入部と、この挿入部と同方向に前記当接片の一側外縁より挿入部よりも長く延設され、軒樋耳部の上面および内側面を覆う覆い片とからなる軒樋用ストッパーの前記挿入部が前記軒樋の耳部内に固着されているので、軒樋が収縮した場合、当接片が軒樋継手の側壁上端部に設けられた耳部係合部の端面に当接して係止する。この結果、軒樋継手の端部からの軒樋の抜けを防止できる。このため、接続部の止水性は良好に保持できる。
【００１９】
また、軒樋の耳部と係合した軒樋継手の耳部係合部は、当接片の一側外縁より、挿入部と同方向に長く延設された覆い片にて覆われているので、軒樋継手の耳部係合部と軒樋の耳部との接続部が、降雪時の積雪荷重により外れることがない。
【００２０】
【発明の実施の形態】
以下、本発明の実施の形態を図面に基づいて説明する。
図１は本発明において使用する角形の軒樋の一例を示す正面図、図２は本発明において使用する角形の曲がり継手の一例を示す平面図、図３は図２の正面図、図４は本発明の軒樋と曲がり継手との接続構造の一実施例を示す説明図、図５は本発明の軒樋用ストッパーの一実施例を示す斜視図、図６は図５のＸ−Ｘ線における切断断面図、図７は図５のＹ−Ｙ線における切断断面図、図８は図４の要部を示す拡大斜視図である。
【００２１】
１０は角形の所謂、前高タイプの軒樋であり、底部１１と、この底部１１の両端から外方に僅かに傾斜して立設された前側壁１２ａおよび後側壁１２ｂと、この両側壁１２ａ、１２ｂの上端部に外方に突出して形成された角筒状の前耳部１３ａおよび後耳部１３ｂとからなっている。両耳部１３ａ、１３ｂはそれぞれ角形の中空部１４ａ、１４ｂを有している。
【００２２】
２０は略Ｌ字状に折曲された出隅用の角形の曲がり継手であり、底部２１と、この底部２１の両端から外方に僅かに傾斜して立設された前側壁２２ａおよび後側壁２２ｂとからなる溝形状のものである。この両側壁２２ａ、２２ｂの両端部の上端部には、それぞれ外方に突出して形成された耳部係合部２３ａ、２３ｂが設けられている。この耳部係合部２３ａ、２３ｂは上記軒樋１０の両耳部１３ａ、１３ｂと係合可能となされている。そして、曲がり継手２０の両端部の内周面２４、２４には帯状の合成ゴム製の弾性パッキング２５、２５が接着されている。なお、軒樋１０および曲がり継手２０はともに硬質塩化ビニル樹脂製のものである。
【００２３】
そして、図４に示すように、曲がり継手２０の両端部内に軒樋１０の端部が挿入されて、軒樋１０の耳部１３ａ、１３ｂが曲がり継手２０の耳部係合部２３ａ、２３ｂにそれぞれ係合され、軒樋１０の端部外周面が弾性パッキング２５を押圧して、軒樋１０と曲がり継手２０とが水密に接続されている。
【００２４】
ところで、本発明においては、図４に示すように、軒樋用ストッパー３０が軒樋１０の前耳部１３ａに装着されている。この軒樋用ストッパー３０は、図５に示すように、短冊形状の上部片３２と、この上部片３２の長辺側の一端より下方に垂下された垂下片３３と、この垂下片３３および上部片３２の両方に直交する小四角形状の当接片３１とから構成されている。上部片３２と垂下片３３とで逆Ｌ字形の覆い片３４を形成している。
【００２５】
当接片３１の片側内面には、上部片３２および垂下片３３の両者に対して平行に挿入部３１ａが一体に突設されている。この挿入部３１ａの断面形状は、前記軒樋１０の前耳部１３ａの中空部１４ａの内面形状にほぼ符合した形状とされている。当接片３１と反対側の上部片３２の端部には、係止リブ３５が下方に形成されている。この係止リブ３５の長さは、前記曲がり継手２０の耳部係合部２３ａの厚みにほぼ等しくされている。
【００２６】
また、軒樋用ストッパー３０は、少なくとも軒樋１０の伸縮長さに対応できる長さとされている。そして、図８に示すように、軒樋１０と曲がり継手２０との接続部において、挿入部３１ａが軒樋１０の前耳部１３ａの中空部１４ａに挿入されて固着されることにより、軒樋用ストッパー３０が装着されている。なお、曲がり継手２０の耳部係合部２３ａは、軒樋用ストッパー３０の覆い片３４にて覆われている。なお、軒樋用ストッパー３０を軒樋１０の前耳部１３ａのみに装着する場合は、右用および左用の２種類の軒樋用ストッパーが必要である。
【００２７】
図８に示す軒樋１０と曲がり継手２０との接続構造において、軒樋１０が収縮して矢印方向へ摺動して移動すると、軒樋用ストッパー３０の当接片３１の内面が曲がり継手２０の耳部係合部２３ａの端面２３０ａと当接して係止するので、軒樋１０の移動が停止する。この結果、曲がり継手２０の両端部からの軒樋１０の抜けは防止される。
【００２８】
また、逆に軒樋１０が伸長して曲がり継手２０内へ摺動して移動すると、軒樋用ストッパー３０の係止リブ３５が曲がり継手２０の耳部係合部２３ａの端面端面２３１ａと当接して係止するので、軒樋１０の移動が停止する。
【００２９】
このような軒樋１０の伸長を規制する係止リブ３５の機能は、軒樋継手が樋集水器である場合に特に有効である。すなわち、樋集水器の底部には排水用の落し口が設けられており、軒樋が伸長することにより落し口の上方が覆われて、排水特性が低下する。しかしながら、軒樋の伸長が係止リブ３５の当接・係止により規制されることにより、排水特性への影響は特に生じないのである。
【００３０】
以上、本発明の実施例を図面により詳述してきたが、具体的な構成は上記実施例に限定されるものではなく、本発明の要旨を逸脱しない範囲の設計変更などがあっても本発明に含まれる。
【００３１】
たとえば実施例においては、抜け防止部材として、挿入部３１ａが中実状のものを図示したが、上下方向または左右方向の中央部が切り欠かれたものであってもよく、あるいは中空状のものであってもよい。
【００３２】
また、上記実施例では、軒樋用ストッパー３０を軒樋の前側壁の前耳部のみに装着したが、軒樋の後側壁の後耳部に装着してもよい。そして、前耳部および後耳部の両方に装着する場合は、前耳部用の軒樋用ストッパーと、後耳部用の軒樋用ストッパーとを別々に成形してもよいし、あるいは、前耳部用の軒樋用ストッパーと後耳部用の軒樋用ストッパーとを、たとえば帯状連結材にて一体に連結したものであってもよい。
【００３３】
【発明の効果】
請求項１記載の本発明の軒樋用ストッパーにおいては、当接片と、この当接片の一側に設けられ、軒樋の中空耳部内に挿入される挿入部と、この挿入部と同方向に前記当接片の一側外縁より挿入部よりも長く延設され、前記軒樋の耳部と係合した軒樋継手の耳部係合部を覆う覆い片とからなるので、挿入部を軒樋の耳部内に挿入して固着することにより、簡単に取り付けることができる。
【００３４】
また、軒樋の耳部と係合した軒樋継手の耳部係合部を覆う覆い片を有しているので、軒樋の抜け防止や止水性に優れた接続部が得られることは勿論、降雪時の積雪荷重により軒樋継手の耳部係合部が軒樋の耳部より外れることのない接続部を得ることができる。
【００３５】
さらに、軒樋用ストッパーの取り付けは、軒樋と軒樋継手とを接続した後に行えるので、その取付施工性に優れている。
【００３６】
また、請求項２記載の本発明の軒樋と軒樋継手との接続構造においては、当接片と、この当接片の一側に設けられた挿入部と、この挿入部と同方向に前記当接片の一側外縁より挿入部よりも長く延設され、軒樋耳部の上面および内側面を覆う覆い片とからなる軒樋用ストッパーの前記挿入部が前記軒樋の耳部内に固着されているので、軒樋が収縮した場合、当接片が軒樋継手の側壁上端部に設けられた耳部係合部の端面に当接して係止する。この結果、軒樋継手の端部からの軒樋の抜けを防止できる。このため、接続部の止水性は良好に保持できる。
【００３７】
また、軒樋の耳部と係合した軒樋継手の耳部係合部は、当接片の一側外縁より、挿入部と同方向に長く延設された覆い片にて覆われているので、軒樋継手の耳部係合部と軒樋の耳部との接続部が、降雪時の積雪荷重により外れることがない。
【図面の簡単な説明】
【図１】本発明において使用する角形の軒樋の一例を示す正面図である。
【図２】本発明において使用する角形の曲がり継手の一例を示す平面図である。
【図３】図２に示す曲がり継手の正面図である。
【図４】本発明の軒樋と軒樋継手との接続構造の一実施例を示す説明図である。
【図５】本発明の軒樋用ストッパーの一実施例を示す斜視図である。
【図６】図５のＸ−Ｘ線における切断断面図である。
【図７】図５のＹ−Ｙ線における切断断面図である。
【図８】図４の要部を示す拡大斜視図である。
【符号の説明】
１０                角形の軒樋
１１                底部
１２ａ              前側壁
１２ｂ              後側壁
１３ａ              前耳部
１３ｂ              後耳部
１４ａ、１４ｂ      中空部
２０                角形の曲がり継手
２１                底部
２２ａ              前側壁
２２ｂ              後側壁
２３ａ、２３ｂ      耳部係合部
２３０ａ、２３１ａ  耳部係合部の端面
２４                端部内周面
２５                弾性パッキング
３０                軒樋用ストッパー
３１                当接片
３１ａ              挿入部
３２                上部片
３３                垂下片
３４                覆い片
３５                係止リブ
【図１】
0003606984.tif 000002
【図２】
0003606984.tif 000003
【図３】
0003606984.tif 000004
【図４】
0003606984.tif 000005
【図５】
0003606984.tif 000006
【図６】
0003606984.tif 000007
【図７】
0003606984.tif 000008
【図８】
0003606984.tif 000009